(57)【特許請求の範囲】
【請求項１】
遊技機毎に設置され該遊技機に発生した異常状態を検知しメモリに記録する端末モニターと、ホール内のエリアを複数の区画に分割する各区画毎に設けられ該区画内の全ての上記端末モニターに接続し該端末モニターの記録情報を収集する島センターと、全ての上記島センターと交信しホール内にある全ての上記端末モニターの記録情報を監視するホールサーバとを有する遊技機監視システムであって、
上記端末モニター及び島センターは、外部電源と電池のいずれの電源によっても動作が可能であり、
上記島センターは、上記ホールサーバとの交信が不良である場合においても上記端末モニターの記録情報を収集、監視し、また外部電源が異常の場合においては電池を電源として上記端末モニターの記録情報を収集、監視し、
上記端末モニターは、外部電源が異常の場合においては、電池を電源にして動作すると共に電力消費が少ない省電力モードに動作モードを切り替えて遊技機の異常を監視し、上記省電力モードにおいては、監視する項目を削減し監視しない項目に関する回路やセンサに対する電源供給を停止又は抑制し、異常を監視する監視プログラムは間欠的に遊技機の異常の有無を監視しその監視周期を長期化すると共に監視する項目を削減することを特徴とする遊技機監視システム。
【請求項２】
請求項１において、前記端末モニターには、遊技機個体の生産情報や機種情報等を含む暗号化されたＩＤ情報が不揮発性のメモリに記録されており、上記ホールサーバは、上記ＩＤ情報の暗号解読プログラムを備えていることを特徴とする遊技機監視システム。
【請求項３】
請求項１又は請求項２において、上記端末モニターは、バス型のトポロジー形状を有する結線方式のバス線から分岐された分岐ラインに１ラインに付き１個だけ接続されると共に上記島センターは上記バス線の上流端部に接続されており、上記端末モニターは、自らが接続された分岐ラインのバス線の上流端からの分岐の順番によって決まる区画内アドレスが上記島センターを介して割り付けられ、上記ホールサーバは、上記島センターのＩＤと上記区画内アドレスとにより個々の端末モニターのシステム内のアドレスを認識することを特徴とする遊技機監視システム。
【請求項４】
請求項１から請求項３のいずれか１項において、前記端末モニターは、遊技機に設置した電波センサが検知する電磁波の異常と、遊技機の制御基板および機内配線の改変を防止するために上記制御基板及びハーネスに貼付される封止シールの異常とを監視することを特徴とする遊技機監視システム。
【請求項５】
請求項１から請求項４のいずれか１項において、前記ホールサーバは、公衆通信網等を介して遠隔サーバ又は携帯電話と交信可能な通信手段を備えていることを特徴とする遊技機監視システム。
【発明の詳細な説明】
【０００１】
【技術分野】
本発明は、遊技場の遊技機の監視システムに関するものであり、特に防犯、セキュリティ機能に優れた監視システムに関する。
【０００２】
【従来技術】
パチンコ機械等の遊技機械は、プログラムに基づいて所定の動作をするコンピュータ制御が採用されている。そして、各遊技機械は、ホールサーバに接続され遊技機の稼動状態などは一括して監視されている（例えば、特開平５−２０８０７２号公報参照）。
【０００３】
そのため、遊技機の制御プログラムを変更することにより出玉の状態を大幅に変化させること等が可能となり、プログラムを改造したりプログラムを誤動作させる等の不正行為が跡を絶たない。その為、遊技場では、外部からプログラム等に変更が加えられるのを防止し、或いはプログラム等に異常な状態が発生したのを検知することが必要となっている。例えば、プログラムの格納部をカバー等で覆い、上記カバーに封止シールを貼付してプログラムの変更が封止シールの剥離又は切断なしには不可能となるようにする。
【０００４】
即ち、例えば図１６に示すように、パチンコ機械８の裏側には、マイクロコンピュータ等を搭載した制御基板８２が取り付けられており、制御基板８２にはプログラムを書き込んだメモリ８３等が実装され、更に制御基板８２はボックス８５の内部に収容されている。そして、制御基板８２とボックス８５にかけて単一または複数の封止シール９１が貼付されている。そのため、制御基板８２のプログラムを変更したり、メモリ８３を取り替えたりしようとする場合には、封止シール９１を剥離したり、切断したりすることが必要となる。
その結果、封止シール９１の状態に変化が無いかどうかを検知するセンサを設けこれを監視することにより、ボックス８５が開かれて制御基板８２に何らかの変更が加えられたかどうかを監視することができるようになる（例えば特開平１１−２９５１６５号公報参照）。
【０００５】
また、パチンコ機械の束線やケーブル（所謂ハーネス）に別の装置や回路を接続して別の信号を遊技機に印加し、不正常な動作をさせるという不正行為も行われる。この検知にも、上記封止シールの貼付は効果的である。
また、機械に異常な電波を照射し遊技機の動作を狂わせるという不正行為も知られており、遊技機に電波センサを取り付けるという提案もなされている。
【０００６】
【解決しようとする課題】
しかしながら、上記のような不正行為は、遊技場に設置された後にのみ行われるのではなく、遊技機械を工場から出荷し遊技場に設置されるまでの間にも行われることがある。従って、このようなホールへ設置前の不正への対応が必要であり、且つこのような不正は遊技場に設置した段階で直ちに判定できることが望ましい。
また、仮に不正な情報が遊技機械に付与された場合にも、そのデータのフォーマットが合っていた場合には、正規品か正規のものではないのかの識別は容易ではない。このような正規品か不正規品かの判別が遊技場において容易に行えることが好ましい。
【０００７】
一方、パチンコホールは、客の興味を新たに喚起するために機械の更新が頻繁に行われる。このような機械の更新は、外部の作業員の手を借りることなく信頼のできる者の手よって簡便に短時間に行うことができることが好ましい。また、遊技機を一括して監視するホールの監視システムのシステム更新も、遊技機械の増設改造に対して容易であることが好ましい。上記のように遊技機の更新へのシステム対応が信頼のできる者によって簡易に短時間に行えることは、不正な改造の防止にも役立ちセキュリティ確保上も有効であるからである。
本発明は、かかる現状に鑑み、遊技機に加えられる手の込んだ不正行為の発生を効果的に防止することのできる、所謂セキュリティ保持機能に優れた遊技機監視システムを提供しようとするものである。
【０００８】
【課題の解決手段】
本願の請求項１に係る発明は、遊技機毎に設置され該遊技機に発生した異常状態を検知しメモリに記録する端末モニターと、ホール内のエリアを複数の区画に分割する各区画毎に設けられ該区画内の全ての上記端末モニターに接続し該端末モニターの記録情報を収集する島センターと、全ての上記島センターと交信しホール内にある全ての上記端末モニターの記録情報を監視するホールサーバとを有する遊技機監視システムであって、上記端末モニター及び島センターは、外部電源と電池のいずれの電源によっても動作が可能であり、上記島センターは、上記ホールサーバとの交信が不良である場合においても上記端末モニターの記録情報を収集、監視し、また外部電源が異常の場合においては電池を電源として上記端末モニターの記録情報を収集、監視し、上記端末モニターは、外部電源が異常の場合においては、電池を電源にして動作すると共に電力消費が少ない省電力モードに動作モードを切り替えて遊技機の異常を監視し、上記省電力モードにおいては、監視する項目を削減し監視しない項目に関する回路やセンサに対する電源供給を停止又は抑制し、異常を監視する監視プログラムは間欠的に遊技機の異常の有無を監視しその監視周期を長期化すると共に監視する項目を削減することを特徴とする遊技機監視システムにある。
【０００９】
本発明にかかる遊技機監視システムは、ホールサーバと、ホール内のエリアを複数の区画に分割する複数の島の各島毎に設置される島センターと、遊技機毎に設置され該遊技機の異常を検知する端末モニターを有する。そして、島センターは島内にある全ての端末モニターと接続し該端末モニターの記録情報を収集し、ホールサーバは全ての島センターと交信して島センターの収集した上記情報を入手しホール内にある全ての端末モニターの記録情報を監視する。なお、上記ホールサーバと島センターの間、及び島センターと端末モニターとの間は有線接続に限定されるものではなく無線接続であっても良い。
【００１０】
本発明において特に注目すべき第１点は、端末モニターが、外部電源と電池のいずれの電源によっても動作が可能であり、外部電源が異常の場合においては、電池を電源として遊技機の異常を監視すると共に動作モードを電力消費が少ない下記の様な省電力モードに動作モードを切り替えることである。
端末モニターは、外部電源がなくても電池で動作するから、遊技機を工場から出荷し遊技場に設置されるまでの間も遊技機を監視しその間発生した異常を記録することができる。従って、遊技場に設置した段階で、工場出荷後に前記のような不正行為があってもその事実を把握することが可能となる。
【００１１】
また、その他の電源故障、例えばホール全体の停電又はシステムの電源不良の場合にも端末モニターは動作を継続できから、電源異常時の監視データも漏れなく取得することが出来る。
そして、外部電源が異常の場合即ち電池動作の場合においては、電力消費が少なくて済む省電力モードに動作モードを切り替えるから、電池が長持ちし工場出荷から設置までの時間が長くなっても遊技機の監視が途絶えることがない。
【００１２】
そして、上記の省電力モードでは、監視する項目を削減し監視しない項目に関する回路やセンサに対する電源供給を停止又は抑制し、更に異常を監視する監視プログラムを間欠的に動作させて遊技機の異常を監視しその監視周期を適当な長さに長期化すると共に監視する項目を削減することにより実現することができる。例えば、削除されない制限された監視項目は防犯的な項目だけに限定する。
【００１３】
本発明において特に注目すべき第２点は、島センターは、ホールサーバとの交信が不良又は途絶えた場合においても上記端末モニターの記録情報を収集、監視することである。
それ故、例えば何らかの原因でホールサーバが停止又は異常となり交信不能となっても、島センター自体は動作を継続でき、ホールサーバの復旧後にサーバは交信不能時の監視データも漏れなく取得することが出来る。また、例えば常に営業外の時間にはホールサーバを停止させるようにしても遊技機の異常監視は可能となるから、システム全体として省電力化することができる。
【００１４】
本発明において特に注目すべき第３点は、島センターは、外部電源が異常の場合においては電池を電源として上記端末モニターの記録情報を収集、監視出来ることである。それ故、ホール全体の停電又はシステムの電源不良の場合にも島センター自体は動作を継続でき、電源異常時における監視データも取得することが出来る。
【００１５】
上記のように、本発明によれば、省電力性に優れたバックアップ電源（電池）を有し、遊技機設置前の不正行為や、停電時や故意に電源を停止してなされる不正行為等を検知することの出来るセキュリティに優れた遊技機監視システムを提供することができる。
【００１６】
次に、本願の請求項２に係る発明は請求項１の発明において、更に上記端末モニターは、遊技機個体の生産情報や機種情報等を含む暗号化されたＩＤ情報を不揮発性のメモリに記録し、上記ホールサーバは、上記ＩＤ情報の暗号解読プログラムを備えている。
【００１７】
上記のようにＩＤ情報が暗号化されていると、第３者がＩＤ情報を解読することは極めて困難であり、従って正規のＩＤを偽造することは極めて困難である。従って、端末モニターが他の物と置き換えられたり改変されたりした場合には，端末モニターのＩＤを暗号解読してチェックすることにより不正な端末モニターであることが容易に判明する。
【００１８】
一方、ホールサーバは上記ＩＤ情報の暗号解読プログラムを備えている。従って、ホールサーバが島センターを介して遊技機ＩＤ情報を取得してＩＤを暗号解読し、解読内容をチェックすることにより容易に不正なＩＤ（端末モニター）をシステム自体で検出することが可能である。暗号方式には、例えばＤＥＳ，ＲＳＡ，ＲＣ４等がある。
上記のように、このような暗号化機能を備えることにより、遊技機を置き換えたり改変する不正行為を容易に検知することの出来ることとなり、一段とセキュリティ機能に優れた遊技機監視システムとすることができる。
【００１９】
次に、本願の請求項３に係る発明は上記請求項１又は請求項２の発明において、更に上記端末モニターは、バス型のトポロジー形状を有する結線方式のバス線から分岐された分岐ラインに１ラインに付き１個だけ接続されると共に上記島センターは上記バス線の上流端部に接続されており、上記端末モニターは、自らが接続された分岐ラインのバス線の上流端からの分岐の順番によって決まる区画内アドレスが上記島センターを介して割り付けられ、上記ホールサーバは、上記島センターのＩＤと上記区画内アドレスとにより個々の端末モニターのシステム内のアドレスを認識することを特徴とする遊技機監視システムにある。
【００２０】
本発明において更に注目すべきことは、端末モニターはバス型の結線方式のバス線から分岐された分岐ラインに１ラインに付き１個だけ接続されると共に上記島センターは上記バス線の上流端部に接続されていること、そして、端末モニターの区画（島）内のアドレスとして自らが接続された上記分岐ラインのバス線の上流端からの分岐の順番によって決まるアドレスが島センターを介して割り付けられることである。
【００２１】
即ち、本システムにおける端末モニターのアドレスは、端末モニターに固有又は固定的なものではなく、島内における配置位置によって島センターから自動的に付与される島内アドレスと島センターのＩＤとによって決まる。
従って、遊技機（端末モニター）の交換や配置換えを行っても、システムにおける端末モニターのアドレスの設定をやりなおしたり入力したりする必要が全くない。なお、端末モニターに固定され管理されるべき固有の情報は、島センターを介して読み取り可能なようにシステムを構成すればよい。
従って、本システムでは遊技場の模様替えとして遊技機の交換や配置換えを行っても、システム更新はオペレータが簡易且つ短時間に行うことが出来る。そのため、第三者がシステム更新に関与することがなく、不正な改造等が行われる機会が少なくなり一段とシステムのセキュリティ機能が優れている。
【００２２】
そして、前記各システムにおける端末モニターの監視項目には、請求項４に記載のように、遊技機の制御基板および機内配線の改変を防止するために制御基板及びハーネスに貼付される封止シールの異常監視や、遊技機に設置した電波センサが検知する電磁波の異常監視等がある。
封止シールの異常監視により、密かになされる制御基板の改変や機内配線に対して異物を付加し異常動作を行わせる不正を検知することができる。また、電波センサにより、遊技機稼動中になされる遊技機への異常電波付加による不正を検知することができる。
【００２３】
また、請求項５に記載のように、ホールサーバは、公衆通信網等を介して遠隔サーバ又は携帯電話と交信可能な通信手段を備えることが好ましい。通信回線を介してホールサーバを遠隔サーバに接続することにより、複数の遊技場を遠隔サーバ（センター）が監視できるようになる。また、異常の発生時に当該遊技場とは別の遊技場や集中センターに通知することにより両者が協力して迅速且つ強力な対応が可能となる。同様に、異常の発生時に異常を所定の携帯電話などに通報することにより、通報を受けた者による遊技場外からの迅速なサポートが可能となり一段とシステムのセキュリティ機能を高めることができる。
【００２４】
【発明の実施の形態】
実施形態例１
本例は、図１に示すように、遊技機（パチンコ）８（図２）毎に設置され該遊技機に発生した異常状態を検知しメモリ（ＲＡＭ）に記録する端末モニター３０と、ホール内のエリアを複数の区画に分割する各区画毎に設けられ該区画内の全ての端末モニター３０と接続し該端末モニター３０の記録情報を収集する島センター２０と、全ての島センター２０と交信しホール内にある全ての端末モニター３０の記録情報を監視するホールサーバ１０とを有する遊技機監視システム１である。
【００２５】
そして、端末モニター３０は、バス型のトポロジー形状を有する結線方式のバス線１５，１６から分岐された分岐ライン１７，１８（制御線及びデータライン）の1組のラインに付き１個だけ接続されると共に島センター２０はバス線１５，１６の上流端部に接続されている。そして、端末モニター３０は、自らが接続された分岐ライン１７，１８のバス線１５，１６の上流端からの分岐の順番ｎによって決まる区画内アドレスＡ（ｎ）が、島センター２０とブランチユニット２１とを使って割り付けられる。そして、ホールサーバ１０は、島センター２０のＩＤと上記区画内アドレスＡ（ｎ）とにより個々の端末モニター３０のシステム１内のアドレスを認識する。
バス線１５は制御線、バス線１６はデータラインである。そして、ブランチユニット２１は制御線１５上に設けられ、ここから２本の分岐ライン１７を分岐することができる。
【００２６】
そして、端末モニター３０及び島センター２０は、共に外部電源と電池のいずれの電源によっても動作が可能である。
また、島センター３０は、ホールサーバ１０との交信が不良である場合においても端末モニター３０の記録情報を収集、監視し、また外部電源が異常の場合においては電池を電源として上記端末モニターの記録情報を収集、監視する（詳細を後述する図３、図４のフローチャート参照）。
【００２７】
一方、端末モニター３０は、遊技機８に設置した電波センサ５４（図６）が検知する電磁波の異常と、遊技機の制御基板の収納箱８５（図２）および機内配線であるハーネス５６（図２）の改変を防止するために制御基板の収納箱８５及びハーネス５６に貼付される封止シール５１，５３（図２，図６）の異常とを監視する。
そして、端末モニター３０は、外部電源が異常の場合においては、電池（図６）を電源にして動作すると共に電力消費が少ない省電力モードに動作モードを切り替えて遊技機の異常を監視する。
【００２８】
上記省電力モードにおいては、端末モニター３０は、電波センサ５４の監視回路を停止しその回路及びセンサ５４に対する電源供給を停止して監視項目を削減し、また異常を監視する監視プログラムは間欠的に遊技機の異常の有無を監視し且つその監視周期を長期化する（詳細を後述する図１０、図１３参照）。
【００２９】
そして、端末モニター３０には、遊技機８個体の生産情報や機種情報等を記録する暗号化されたＩＤ情報が不揮発性のメモリに記録されており、ホールサーバ１０は、上記ＩＤ情報の暗号解読プログラムを備えており、図５に示すように上記暗号を解読して端末モニター３０のＩＤの適否を判定する。なお、暗号の方式はＤＥＳである。
【００３０】
また、ホールサーバ１０はモデムを備えており、図１５に示すように、公衆通信網９５を介して遠隔サーバ１００及び携帯電話９６と交信する。
【００３１】
以下それぞれについて詳細を説明する。
パチンコホールは、パチンコ機械が連続して並ぶ複数の区画（通称「島」）に分割されており、本システム１では島センター２０は上記島毎に一台ずつ設けられ図１に示すように島内の全ての端末モニター３０が接続されている。通常、上記島は、壁際に位置してパチンコ機械を一列に並べたもの（図１のトップとボトムの結線参照）と、ホール内部に位置してパチンコ機械を前後に一対ずつ一列に並べたものとがある。
そして、パチンコ機械を前後に一対ずつ一列に並べた島では、バス線１５，１６から前後相反する方向に分岐する２組の分岐ライン１７，１８のそれぞれに端末モニター３０が１台ずつ接続されている。また、壁際に位置してパチンコ機械を一列に並べた島では、バス線１５，１６から分岐する１組の分岐ライン１７，１８に端末モニター３０が１台ずつ接続されている。なお、制御用のバス線１５から分岐する分岐ライン１７は必ずブランチユニット２１を介して分岐する。
【００３２】
そして、島センター２０と端末モニター３０との間は半二重の２進同期通信方式にて通信が行われている。
そして、図１に示すように、全ての島センター２０はバス線１３を介してホールサーバ１０に接続されており、図示しないハブを介してパケット通信方式で交信が行われている。
島センター２０は、図４のフローチャートに示すように、常に島内の端末モニター３０の情報を収集し、サイクリックに又は異常が発生した場合にはその時点で直ちにホールサーバ１０に異常情報を直ちに送信する。
【００３３】
図４は、島センター２０における端末モニター３０からのデータ収集とホールサーバ１０への送信のルーチン６１を示すものである。始めにステップ６０１でホールサーバ１０に接続要求を送信し、ステップ６０２において応答があった場合には、ステップ６０３においてホールサーバ１０から最新データの取得、送信の要求が有るかどうかを確認する。ステップ６０３で特に要求が無ければ、ステップ６１３に進み島センター２０が保持するデータを送信する。一方、ステップ６０３で最新データの要求が有った場合には、ステップ６０４で島内の端末モニター３０の最新データを収集し、ステップ６０４〜６０６に示すように収集した最新データを送信する。
【００３４】
一方、ホールサーバ１０から最新データの要求が無く、ステップ６１３に進み島センター２０が保持データを送信した場合には、次にステップ６１４に進み島内の端末モニター３０のデータ収集を行う。そして、次のステップ６１５に示すようにここで異常データが発生した場合には、ステップ６１６に進み直ちに異常情報（異常内容と発生時刻）をホールサーバ１０に送信する（ステップ６１７〜６１９）。そして、仮にステップ６１８にてホールサーバ１０との交信不良が発生した場合には、ステップ６１４に戻り端末モニター３０のデータ収集を継続し、異常発生データを記録し続け、交信が可能となった段階でホールサーバ１０に送信する（ステップ６１９）。
【００３５】
ステップ６１５で異常データの発生のない場合には、ステップ６０１又は６１１で再度ホールサーバ１０を呼び出し収集したデータを送信する。この場合、ステップ６１０に示すように、ホールサーバ１０に対して前回にデータを送信してから１分以内であるか否かにより若干処理が異なることになる。即ち、前回送信後１分以上経過していない場合には、ステップ６０３に示すようにホールサーバ１０から最新データの取得、送信の要求が有るかどうかを確認する手順を踏むが、前回送信から１分以上経過している場合には、ステップ６１３に示すように保持データをそのまま送信する。これは、ホールサーバ１０に対して１分以内に端末モニター３０の最新データを常に送ろうとする意図ためである。
【００３６】
上記フローチャートから分るように、島センター３０は、ホールサーバ１０との交信が不良である場合においても端末モニター３０の記録情報を収集、監視している。それ故、例えば何らかの原因でホールサーバ１０が停止又は異常となり交信が不能となっても、島センター２０自体は動作を継続して端末モニター３０の情報を収集しており、ホールサーバ１０の復旧後にサーバ１０は交信不能時の監視データも漏れなく取得することが出来る。
【００３７】
また、島センター２０は、以下に述べるように、外部電源が異常の場合においてはバッテリを電源として端末モニター３０の記録情報を収集、監視する。
即ち、図３に示す島センター２０の全体の処理の中では、ステップ６３２において外部電源の有無をチェックし、ここで外部電源がない場合にはステップ６３３に進み、ホールサーバ１０に電源不良を送信する。
続いて、ステップ６３４においてバッテリ容量を調べて、容量が不足していない場合には前記の端末モニター３０からのデータ収集とホールサーバ１０への送信のルーチン６１に進む。それ故、ホール全体の停電又はシステムの電源不良の場合にも島センター２０自体は動作を継続でき、電源異常時における監視データを取得することが出来る。
【００３８】
次に、端末モニター３０の構成と動作について説明する。
端末モニター３０は、図２に示すように、各パチンコ機械８の制御基板（の収納箱）８５の表面に封印シール５１，５３と一体となり装着されている。
制御基板用の封印シール５１は、制御基板の収納箱８５とパチンコ機械８の本体との間に渡って四方に１箇所ずつ貼付されている。そして、配線の集合体であるハーネス５６用の封印シール５３は、ハーネス５６とパチンコ機械８の間に渡って各ハーネス５６に１個ずつ貼付されている。
【００３９】
端末モニター３０は、図６に示すように、処理装置３１と、島センター２０との通信手段３４と、電源制御装置３５と、封印シール５１，５３の検出部３２とを有する。処理装置３１には記憶手段として図示しないＲＡＭとＥＥＰＲＯＭとが内蔵されており、ＥＥＰＲＯＭには個々のパチンコ機械８に固有の固定的な情報（製造情報等を含むＩＤ等）を記憶し、ＲＡＭには時と共に変化するパチンコ機械８の監視情報等が記録される。通信手段３４はコネクタ３７を介して島センター２０に接続される。
また、電源制御装置３５は電池３６を内蔵すると共にコネクタ３７を介して外部から電力が供給されている。更に、検出部３２はコネクタ３３を介して封印シール５１，５３が接続され、処理装置３１には電波センサ５４が接続されている。
【００４０】
そして、上記封印シール５１，５３には図７に示すように導体パターン５１１，５１２が形成されており、制御基板やハーネス５６を改変しようとして封印シール５１，５３を破断すると、端末モニター３０はそれを検知することができる。
即ち、図６に示すように、端末モニター３０は、コネクタ３３を介して封印シール５１，５３の導体パターン５１１，５１２（図７）と電気的に接続されており、端末モニター３０の検出部３２は上記導体パターン５１１若しくは５１２の開路又は導体パターン５１１と導体パターン５１２の間の短絡を検知することができる。
【００４１】
即ち、図７に示す端末モニター３０の検出部３２は、同図における判定部３２２内の素子３２３の出力信号ＳＤの変化により、上記導体パターン５１１若しくは５１２の開路又は導体パターン５１１と導体パターン５１２の間の短絡を検知する。その検知手順は以下の通りである。
図８に示すように、リセット状態（シーケンスＮｏＳＱ＝０）では図７の制御スイッチＳＬ１〜４はＳＬ１＝０（オフ）、ＳＬ２〜ＳＬ４＝１（オン）である。検出を開始すると、その第１ステージ（シーケンスＮｏＳＱ＝１〜３）では、ＳＬ１〜４はＳＬ１＝１（オン）、ＳＬ２〜ＳＬ４＝０（オフ）に全て反転させる。すると、封印シール５１，５３の導体パターン５１１，５１２が図７のように正常な回路状態である場合には、感応部３２１のコンデンサＣが充電されその電圧Ｅが時定数に従って徐々に上昇する。
【００４２】
そして、判定の第２ステージ（シーケンスＮｏＳＱ＝４）に入り、ＳＬ１とＳＬ４を反転させＳＬ１＝０（オフ）、ＳＬ４＝１（オン）にしてコンデンサＣの充電状態（電圧Ｅ）を保持する。そして、判定部３２２の検知信号ＳＤを読み取れば、上記電圧Ｅに対応する出力信号（正常信号）が得られる。
一方、封印シール５１，５３の導体パターン５１１若しくは５１２が開路したり、導体パターン５１１と導体パターン５１２の間の短絡した場合には、上記第１ステージ（シーケンスＮｏＳＱ＝１〜３）でコンデンサＣが充電されず電圧Ｅは０のままである続ける。従って、第２ステージ（シーケンスＮｏＳＱ＝４）で上記検知信号ＳＤが反転する。なお、後述するフローチャートで説明するように、上記においてシーケンスＮｏＳＱ＝１〜４の継続時間はそれぞれ０．５ミリ秒であり、コンデンサＣの充電時定数は１．５ミリ秒よりも十分に短い。
【００４３】
そして、上記導体パターン５１１若しくは５１２の開路又は導体パターン５１１と導体パターン５１２の間の短絡は、封印シール５１，５３の異常操作によって生ずるものであるから、上記検出手順により封印シール５１，５３に破断等の異常が生じたと判定することができる。
【００４４】
図９は、上記封印シール５１，５３の状態判定の各ステージ（シーケンスＮｏＳＱ＝０〜４）をフローチャートで表わしたものである。
即ち、始めにステップ５８１においてシーケンスＮｏＳＱ＝０であるかをチェックする。測定開始時（第１回の「０．５ミリ秒割込み処理」時）にはＳＱ＝０（リセット状態）であるから、ステップ５８２に進みシーケンスＮｏＳＱ＝１に変更して、ステップ５８３においてリセット状態であるＳＬ１＝０（オフ）、ＳＬ２〜ＳＬ４＝１（オン）を保持又は確実なものにし第１回目の「０．５ミリ秒割込み処理」を完了する。
【００４５】
この段階ではシーケンスＮｏＳＱ＝０ではなくなっている。従って、詳細を後述する図１１のフローチャートのステップ５４３及び図１２のフローチャートのステップ５４３により、０．５ミリ秒の停止時間の後に第２回目の「０．５ミリ秒割込み処理」を開始する。
第２回目の「０．５ミリ秒割込み処理」では、ステップ５８１，５８５を経てステップ５９１に進み、ステップ５９２に進みＳＬ１＝１（オン）、ＳＬ２〜ＳＬ４＝０（オフ）にＳＬの状態を全て反転させ、ステップ５９３でＳＱの値を１つだけ増加させ第２回目の「０．５ミリ秒割込み処理」を完了する（シーケンスＮｏＳＱ＝２）。
【００４６】
続いての第３，第４回目の「０．５ミリ秒割込み処理」では、ステップ５９１からステップ５９３に進みＳＱの値を１つだけ増加させるだけでＳＬ状態はそのまま保持される（シーケンスＮｏＳＱ＝２から３，４へ変化）。
続く第５回目の「０．５ミリ秒割込み処理」では、シーケンスＮｏＳＱ＝４となっているから、ステップ５８５からステップ５８６に進み、ＳＬ１＝０（オフ）、ＳＬ４＝１（オン）にして前記のようにコンデンサＣの電圧Ｅの状態を保持する。そして、ステップ５８７において前記検知信号ＳＤを読み込み、封止シール５１，５３が正常か否かを判定する。そして、ステップ５８８でシーケンスＮｏＳＱ＝０にＳＱ値をリセットし測定を完了する（図１１のフローチャートのステップ５４３及び図１２のフローチャートのステップ５４３の結果が是となり次に進む）。
【００４７】
また、図６に示すように、端末モニター３０の処理装置３１には電波センサ５４が接続されており、電波センサ５４が検出した検知情報は、処理装置３１の内蔵ＲＡＭ装置に記憶される。上記電波センサ５４は、異常な電磁波を検出するものであるが、携帯電話やＰＨＳの帯域等の電磁波はフィルタされて検出しない。
【００４８】
次に、端末モニター３０全体の処理手順をフローチャートを用いて説明する。
端末モニター３０は、機種情報や生産ロット情報など各パチンコ機械毎に固定されるべき固有情報（ＩＤ）が工場出荷時に設定される。そして、上記固有情報が設定された後に始めて実稼動に入ることができる。実稼動に入ると、端末モニター３０は、その動作モードとして省電力モードとフルモードとがあり、外部電源が異常の場合においては、省電力モードに動作モードを切り替えて動作する。
【００４９】
即ち、図１０に示すように、ステップ５０１において電源が投入（スイッチオン）されると、始めにステップ５０２において端末モニター３０の設定や記録をリセットせよとの指令がないことを確認した場合（通常の場合）には、直ちにステップ５１１において上記固有情報が設定されていること、即ち正規の出荷品であることを確認する。
ここで固有情報が設定されていない場合には稼動の動作モードに入ることが出来ず、ステップ５１３に示すように別途に固有情報が設定される必要がある。そして、ステップ５１１において固有情報の設定即ち正規の出荷品であることが認定されなければならない。なお、上記固有情報が偽造された場合には、詳細を後述するようにホールサーバ１０の暗号解読により偽造品であることが判定できる。
【００５０】
ステップ５１１において上記固有情報が設定された正規の出荷品であることを確認した場合には、ステップ５１２において外部電源の有無を確認し、外部電源有りの場合には詳細を後述するフルモード５２０に進み、外部電源が来ていない場合には詳細を後述する省電力モード５４０に進む。
【００５１】
なお、始めのステップ５０２において装置３０の設定や記録をリセット（始めての設定又は再設定）せよとの指令が有った場合には、ステップ５０３に進む。上記リセット信号は、電池を取り付けたとき及び外部電源の供給が開始されたときにハード回路から自動的に発せられる。
ステップ５０３で外部電源の有無を確認し、外部電源がない場合にはステップ５０６で上記固有情報が設定されているか否かを確認し、否の場合には全ての設定情報や収集した記録情報を初期化する。電池による電源がある場合で、固有情報が未設定の場合には、工場出荷前の状態であり異常情報の記録は不要であるためである。ステップ５０３で外部電源ありの場合及びステップ５０６で固有情報が設定されている場合には、これまで収集した異常情報とその時刻とを除き初期化する。
【００５２】
上記省電力モードにおいては、ハードウエア上の処理として監視する項目を削減して電波センサ５４の監視回路を停止しその回路及びセンサ５４に対する電源供給を停止する。
即ち、図１３に示すように、端末モニター３０がセンサのデータを収集する場合に、始めにステップ５６１に示すように外部電源の有無を確認し、外部電源が来ていない場合にはステップ５６５に進んで電波センサ５４への電源供給を断つ。そして、ステップ５６６において電池の容量残があることを確認してから前記のように封止シール５１，５３のデータを収集する。なお、ステップ５６６において電池容量が不足する場合には、データ収集は行わず終了する。
一方、ステップ５６１において外部電源が来ている場合には、ステップ５６２，５６３において電波センサ５４と封止シール５１，５３の両方のデータを収集する。
【００５３】
また、端末モニター３０の省電力モードにおいては、異常を監視する監視プログラムは、監視を停止するスリープモードを設けて封止シール５１，５３の監視周期を長期化する。
即ち、図１１に示すように、始めにステップ５４１においてスリープ時間の長さＳｔを例えば５００ミリ秒等に設定する。そして、ステップ５４２においてスリープモードを停止して封止シール５１，５３の測定モードに入る。そして、ステップ５８，５４３のルーチンにより前記「０．５ミリ秒割込み処理」を５回実施し、最後の「０．５ミリ秒割込み処理」によりシーケンスＮｏＳＱ＝０となり封止シール５１，５３の測定は終る。
【００５４】
続いて、ステップ５６にて前記のセンサデータ収集の処理（図１３）に入る。ここで、センサの検出データに異常情報が有る場合には、ステップ５４６で異常情報とその発生時刻とを記録し、センサの検出データに異常情報がない場合には記録データは更新されない。
続くステップ５４８において、リセット信号の無いことを確認して、ステップ５５１のスリープモードに入りデータの収集を一時停止する。そして、ステップ５５２に示すように上記スリープモードをスリープ時間の上記設定長Ｓｔ（例えば５００ミリ秒）になるまで継続し、ステップ５５３にてスリープタイマをゼロにリセットしてステップ５４２に戻り再びデータ収集にはいる。
【００５５】
一方、外部電源が来ている場合のフルモードにおいては、図１２に示すようにスリープモードは無く、連続してセンサのデータ収集を継続する。
即ち、フルモードではステップ５２１で省電力モードを停止し、省電力モードの場合と同じくステップ５８，５４３，５６，５４５，５４６にてセンサデータの収集と記録と実施し、外部電源があり（ステップ５２５）かつリセット指令がない（ステップ５２６）限りこの処理を繰り返し継続する。
そして、ステップ５２５にて外部電源がないことを確認した場合及びステップ５２６でリセット指令があった場合には、図１０に示すモード選択のルーチンに戻る。
【００５６】
上記のように、端末モニター３０は、外部電源がなくても電池３６で動作するから、遊技機を工場から出荷し遊技場に設置されるまでの間も遊技機を監視しその間に発生した異常を記録することができる。従って、遊技場に設置した段階で、工場出荷後に前記のような不正行為があってもその事実を把握することが可能となる。また、その他の電源故障、例えばホール全体の停電又はシステム１の電源不良の場合にも端末モニター３０はデータ収集を継続できから、本システム１では電源異常時の監視もすることが出来る。
そして、外部電源が異常の場合即ち電池３６で動作させる場合においては、電力消費が少なくて済む省電力モードに動作モードを切り替えるから、電池３６が長持ちし仮に工場出荷から設置までの時間が長くなっても遊技機の監視が途絶えることがない。
【００５７】
また、前記のように端末モニター３０には、ＤＥＳ方式により暗号化されたＩＤ情報が不揮発性のメモリに記録されている。そして、ホールサーバ１０は、上記ＩＤ情報の暗号解読プログラムを備えており、ＩＤ要求コマンドを島センター２０に発してID情報を取得し、上記暗号を解読して端末モニター３０のＩＤの適否を判定する。ＤＥＳ方式は、センターにアクセスすることなく共通鍵により直ちに復号化できるので好適である。
即ち、図５に示すように、ホールサーバ１０は、始めにステップ６８１で端末モニター３０のアドレスを指定してそのＩＤ送信を要求し暗号化されたＩＤを取得する。
【００５８】
そして、ステップ６８３で暗号化されたＩＤを解読する。続いて、ステップ６８３においてＤＥＳ方式による解読が正しく行われるかどうかチェックし、解読が正しく行われない場合にはステップ６８９に進み端末モニター３０のＩＤが異常であり、端末モニター３０が正規のものではないと判定する。
ステップ６８３において解読が正しく行われた場合には、ステップ６８４で復号化されたコードが正規のコード体系になっていると共にその内容が正しいものであるか否かを判定する。
【００５９】
そして、正規のコードでないと判定した場合にはステップ６８９に進み端末モニター３０のＩＤが異常であり、端末モニター３０が正規のものではないと判定し、正規のコードであると判定した場合にはステップ６８６に進む。
そして、ＩＤが正常の場合も正常でない場合にもステップ６９０で上記ＩＤの判定結果をオペレータに対して表示する
【００６０】
次に、端末モニター３０の区画内（島）アドレスＡｎの設定手順について図１のシステム接続図と図１４のフローチャートを用いて説明する。この手順はホールサーバ１０から発せられたコマンドにより起動する。
始めに、ステップ６５１において島センター２０は、制御用バス線１５に一定の間隔で応答指令のパルスを発信する。第１番目に位置するブランチユニット２１は最初に受信した第１番目のパルスと第２番目のパルスを分岐ライン１７側に分岐させて送信し、第３番目以降のパルスは全て制御用バス線１５の下流側に送信する。
【００６１】
そして、次に制御用バス線１５に位置するブランチユニット２１は第３番目と第４番目の応答指令パルスをそこから分岐する分岐ライン１７側に分岐させて送信する。このようにブランチユニット２１による応答指令パルスの分岐を繰り返し、n番目に発信されたパルスは制御用バス線１５の上流からn番目に位置する分岐ラインに送信されることになる。
【００６２】
分岐ライン１７から応答指令のパルスを受けた端末モニター３０は、アドレスが設定済みであるか否かの応答をデータライン１８から返信する。
島センター２０は、ｎ番目のパルスに対する応答があるかないかでｎ番目の分岐ラインに端末モニター３０があるか否かを知り、応答があった場合の応答内容によりアドレスが設定済みであるか否かを知ることができる。
ステップ６５２においてアドレス未設定の端末モニター３０があった場合には、続くステップ６５３に進み、ここからアドレスの設定更新の手順に入る。
【００６３】
ここでも、島センター２０は一定の間隔で応答指令のパルスを下流に向けて順次発信する。最初の応答指令パルスに対応して、ステップ６５３で始めにモニタ番号ｎを１に設定し、ステップ６５４ではこれから次々と増加する上記番号ｎに対応しn番目の応答指令パルスを送信する。前記のようにｎ番目の応答指令パルスはｎ番目の分岐ライン１７の端末モニター３０に配信される。次のステップ６５５でこれに対する端末モニター３０から応答があった場合には、ステップ６５６でｎ番目のパルスに対応するモニタ番号ｎに該当する島アドレスＡｎを送信する。
【００６４】
そして、ステップ６５７で上記島アドレスＡｎの送信に対する端末モニター３０からの応答があれば島センター２０のアドレス台帳を更新する。即ち、モニタ番号ｎの端末モニター３０が存在し上記モニタ番号ｎに対応するアドレスＡｎを設定したことを台帳に記録する。そして、ステップ６６０で次の応答指令パルスに対応してモニタ番号ｎを１つだけ進め同様の手順を繰り返す。
この手順を繰り返してステップ６５９でモニタ番号nが最大値Ｎｍ（例えば４８）に達した段階でアドレス設定の上記手順を停止し、ステップ６６１でホールサーバ１０に島アドレスＡｎの設定情報を送信する。
【００６５】
上記モニタ番号ｎは、上記のように応答パルスの発信順番ｎに対応し、ブランチユニット２１はn番目のパルスをn番目に位置する分岐ラインに配信する。従って、モニタ番号ｎに対応する島アドレスＡｎはバス線１５,１６上の端末モニター３０のバス線１５，１６上の配置順番ｎに対応することになる。
【００６６】
上記のように、本システム１における端末モニター３０のアドレスは、端末モニター３０に固有又は固定的に設定されるものではなく、島センター２０のＩＤと島内における配置順番によって自動的に付与される。
従って、遊技機（端末モニター）８の交換や配置換えを行っても、システム１における端末モニター３０のアドレスの設定を機械毎にやりなおしたり入力したりする必要が全くなく、ホールサーバ１０からアドレス設定を指令する１つのコマンドを送信することにより自動的に再設定される。
一方、端末モニター３０に固定され管理されるべき固有の情報（ＩＤ）は、前記のようにホールサーバ１０から島センター２０にコマンドを送信して別個に得ることが出来る。
【００６７】
従って、本システムでは遊技場の模様替えとして遊技機８の交換や配置換えを行っても、システム更新はオペレータの指令により簡易且つ短時間に行うことが出来る。そのため、第三者等がシステムの更新に関与することがなく、遊技機の交換や配置換えに伴ない不正な改造等が行われるリスクが少なくなりシステムのセキュリティ機能に優れている。
【００６８】
また、ホールサーバ１０はモデム及び通信ソフトウエアを備えており、図１５に示すように、公衆通信網９５を介して遠隔サーバ１００及び所定の番号の携帯電話９６と交信可能となっており、遠隔サーバ１００は複数の遊技場の異常を遠隔監視している。即ち、遊技場に異常が発生した時には、ホールサーバ１０は公衆通信網９５を介して異常の発生を遠隔サーバ１００に通知する。その結果、両者が協力して迅速且つ強力に対策が可能となる。
また、異常の発生時には、ホールサーバ１０は公衆通信網９５を介して所定の電話番号の携帯電話９６に異常を通報する。そして、携帯電話９６に通報を受けた者は、遊技場同様に対策へのサポートが可能となる。
【００６９】
【発明の効果】
上記のように本発明によれば、遊技機の制御基板等を置き換えたり改変したりする各種の不正行為を容易に検知することの出来るセキュリティ機能に優れた遊技機監視システムを提供することができる。
【図面の簡単な説明】
【図１】実施形態例にかかる遊技機監視システムのシステム接続図。
【図２】実施形態例にかかる端末モニターのパチンコ機械への取り付け態様わ示す模式図。
【図３】実施形態例にかかる島センターの電源条件による動作の変化態様を示すフローチャート。
【図４】実施形態例にかかる島センターのホールサーバ及び端末モニターとの交信の手順を示すフローチャート。
【図５】実施形態例にかかるホールサーバにおける端末モニターのＩＤのチェック手順を示すフローチャート。
【図６】実施形態例にかかる端末モニターの基本構成と外部との接続態様を示す接続図。
【図７】実施形態例にかかる端末モニターの封印シールの状態検出部の接続図。
【図８】図７の検出部における主要素子の変数の推移の一例を示すタイムチャート。
【図９】図７の検出部における封印シールの状態検出の手順を示すフローチャート。
【図１０】実施形態例にかかる端末モニターの基本動作モードの選択手順を示す大枠のフローチャート。
【図１１】実施形態例にかかる端末モニターの省電力モードでの処理手順を示すフローチャート。
【図１２】実施形態例にかかる端末モニターのフルモードでの処理手順を示すフローチャート。
【図１３】図１１，図１２のセンサデータの読込ステップの内部処理手順を示すフローチャート。
【図１４】実施形態例にかかる島センターが端末モニターの島内アドレスを設定する手順を示すフローチャート。
【図１５】実施形態例のホールサーバと遠隔サーバ及び携帯電話との連係の態様を模式的に示す接続図。
【図１６】従来のパチンコ機械における制御基板及び封印シール等の配置の一例を示す斜視図。
【符号の説明】
１    遊技機監視システム
８    パチンコ機械、  遊技機
１０    ホールサーバ
１３，１５、１６    バス線
１７，１８    分岐ライン
２０    島センター
２１    ブランチユニット
３０    端末モニター
３１    処理装置
３２    検出部
３３    コネクタ
３４    通信手段
３５    電源制御装置
３６    電池
３７    コネクタ
５１，５３    封印シール
５２０    フルモード
５４０    省電力モード
５４    電波センサ
５６    ハーネス
８２    制御基板
８３    メモリ
８５    収納箱
９１    封止シール
９５    公衆通信網
９６    携帯電話
１００    遠隔サーバ
３２１    感応部
３２２    判定部
５１１，５１２    導体パターン
Ａｎ    島アドレス
【図１】
0003602454.tif 000002
【図２】
0003602454.tif 000003
【図３】
0003602454.tif 000004
【図４】
0003602454.tif 000005
【図５】
0003602454.tif 000006
【図６】
0003602454.tif 000007
【図７】
0003602454.tif 000008
【図８】
0003602454.tif 000009
【図９】
0003602454.tif 000010
【図１０】
0003602454.tif 000011
【図１１】
0003602454.tif 000012
【図１２】
0003602454.tif 000013
【図１３】
0003602454.tif 000014
【図１４】
0003602454.tif 000015
【図１５】
0003602454.tif 000016
【図１６】
0003602454.tif 000017